(57)【特許請求の範囲】
【請求項１】
遊技媒体を使用する遊技台と、該遊技台の下方から該遊技台の上方へ遊技媒体を揚送する揚送装置と、遊技媒体を貸し出す遊技媒体貸機とが１ユニットに構成された独立機能型の遊技装置であって、
前記揚送装置は、その前面が外部に露出するように前記遊戯台と並んで設置され、前記ユニットの一側部において前記遊戯台とは独立して前面側へ引出し自在に設けられたことを特徴とする遊技装置。
【請求項２】
前記揚送装置が遊技媒体を挟持して上方へ移送するための対向した送りベルトと磨きベルトを備え、前記磨きベルトが交換可能なカートリッジ内に収納された請求項１記載の遊技装置。
【請求項３】
前記揚送装置の前記２本のベルトのうち一方のベルトが常時回転駆動され、他方のベルトが停止されていて、両ベルトによる遊技媒体の挟持移送によって該停止中のベルトが移送方向へ緩慢にずれるようにしたことを特徴とする請求項２記載の遊技装置。
【発明の詳細な説明】
【０００１】
【発明の属する技術分野】
本発明は遊技媒体を一台の遊技台で循環使用させる単独機能型の遊技装置に関する。
【０００２】
【従来の技術】
例えばパチンコ店では、多数のパチンコ台（遊技台）を一直線に並べて配置していわゆるパチンコ島を形成し、パチンコ島の各パチンコ台から排出されるパチンコ玉を回収樋で回収し、回収したパチンコ玉（遊技媒体）を揚送パイプ内でらせん状の回転体を回転させてパチンコ玉と研磨材とを混合攪拌しながら揚送させる揚送装置によって、パチンコ玉を上部タンクへ揚送して上部タンク内に多量のパチンコ玉を貯留し、この上部タンク内のパチンコ玉を補給樋から各パチンコ台へ補給して一つのパチンコ島単位でパチンコ玉を循環させている。そして、このような直線状のパチンコ島をホール内に互いに平行に配置している。
【０００３】
しかしながら、近年パチンコ店はパチンコ店専用の建物に開業する他に、既成のビル内にテナントとして開業する場合が多い。このような場合、ホール内がパチンコ店の直線状のパチンコ島を多数列効率よく配置できる構造になっておらず、ホール内の柱やホールの形状によってはホール面積に応じた効率よいパチンコ島の配置が不可能となり、利用できない無駄なスペースを生じることが多い。
【０００４】
このため、一台のパチンコ台ごとに揚送装置を設けて、一台のパチンコ台ごとに独立してパチンコ玉を循環させるようにした独立型のパチンコ遊技装置が提案され、このような独立型のパチンコ遊技装置をホール状況に応じて任意に配置することが提案されている（特開平６−８６８６３）。
【０００５】
【発明が解決しようとする課題】
しかして、このような特開平６−８６８６３の独立型のパチンコ装置においてもパチンコ玉を上部タンクへ揚送する揚送装置は、前記したのと同様の揚送パイプ内のらせん状回転体を回転させる構造であるため、揚送装置が大型化し、パチンコ装置の裏側に設置されるため、揚送装置内で玉詰まりなどの故障が生じた場合には、パチンコ装置の裏側を開いて専門の業者に点検させる必要があった。
本発明はこのような問題を解決した遊技装置を提供することを目的としている。
【０００６】
【課題を解決するための手段】
前記目的を達成するために本発明の請求項１は、遊技媒体を使用する遊技台と、該遊技台の下方から該遊技台の上方へ遊技媒体を揚送する揚送装置と、遊技媒体貸機とが１ユニットに構成された独立機能型の遊技装置であって、前記揚送装置は、その前面が外部に露出するように前記遊戯台と並んで設置され、前記ユニットの一側部において前記遊戯台とは独立して前面側へ引出し自在に設けられたことを特徴としている。従って、揚送装置を前面側に引出して故障時の点検を簡単に行なうことができる。
【０００７】
また、請求項２では、
前記揚送装置が遊技媒体を挟持して上方へ移送するための対向した送りベルトと磨きベルトを備え、前記磨きベルトが交換可能なカートリッジ内に収納されているため、揚送装置を前面側へ引出して簡単に汚れたベルトの交換ができる。
【０００８】
また、請求項３では、
前記揚送装置の前記２本のベルトのうち一方のベルトが常時回転駆動され、他方のベルトが停止されていて、両ベルトによる遊技媒体の挟持移送によって該停止中のベルトが移送方向へ緩慢にずれるようにしたから、１日でベルトが僅かずつ新しいところがずれていくのでベルトの汚れが長持ちする。
【００１２】
【発明の実施の形態】
以下、図面に基づいて本発明の実施の形態を説明する。
図１〜８は本発明をパチンコ遊技装置に適用した実施形態を示している。
【００１３】
パチンコ遊技装置１は基台２を備えており、この基台２の横方向の所定幅の一側を残した状態で、基台２から上方に箱状のフレーム３が立設されている。
基台２の前方部には、椅子２ａが立設されている。
【００１４】
このフレーム３の高さ方向のほぼ中央にパチンコ台（遊技台）４がその一側部において開閉自在に取付けられ、パチンコ台４の上方には上部タンク５が取付けられ、パチンコ台４の下方には下部タンク６が取付けられている。
【００１５】
上部タンク５内のパチンコ玉（遊技媒体）は上部シュート７を介して切替えによってパチンコ台４への補給玉、台間玉貸機２０への補給玉、玉箱１２への余り玉として自然落下によって供給される。パチンコ台４への補給玉数は補給玉計数機１０で計数される。
【００１６】
パチンコ遊技による出玉はパチンコ台４の前面下部に装着自在に設けられた玉箱１２に排出される。また、パチンコ台４からのアウト玉はアウト玉計数機１１で計数されて下部タンク６へ落下する。
【００１７】
玉箱１２内のパチンコ玉は操作レバー１３の操作で側壁開口の開閉シャッター（図示せず）を開くとパチンコ玉計数機１４で計数されて下部タンク６へ流入する。
【００１８】
パチンコ台４の上方前面にはチケットプリンタ１５が設けられていて、パチンコ玉計数機１４による計数値が印加されたチケットがチケットプリンタ１５からプリントアウトされ、利用客はこのチケットで景品を得ることができる。
また、パチンコ台４の上方には電子回路が組込まれた制御ボックス１６が設けられ、その前面にこの制御ボックス１６によって表示制御される表示装置１７が設けられている。
【００１９】
また、パチンコ台４の下方には電源トランス１８が設けられている。
フレーム３の横方向の一方の側板３ａの前部には、パチンコ台４の側方において、薄板状の台間玉貸機（遊技媒体貸機）２０がパチンコ台４の前面と面一となるように固定されていて、利用客が貨幣またはカードを投入するとその金額分のパチンコ玉が排出される。上部タンク５内のパチンコ玉が上部シュート７を介して台間玉貸機２０へ補給される。
【００２０】
フレーム３の前記側板３ａの前部には、前記台間玉貸機２０よりさらに外側において薄板状の揚送装置３０が、その前面がパチンコ台４及び台間玉貸機２０と面一となるように設けられている。
台間玉貸機２０の上下の前面空間は、パチンコ台４の前面と面一に化粧板８ａ、８ｂによって塞がれている。
【００２１】
揚送装置３０は図４〜８に示すように基台３１と、この基台３１に立設された縦長薄板状の中空のベルトケース３２から成る。
ベルトケース３２は前後方向の送りベルトケース３３と磨きベルトケース３４に中央で２分割され、磨きベルトケース３４は蝶番３５によって送りベルトケース３３に対して開閉可能に取付けられている。
【００２２】
基台３１の下面にはＬ字状の支持腕３６によってローラ３７が回動自在に取付けられている。また、送りベルトケース３３のフレーム３側の外側面にはＬ字状の支持腕３８によってローラ３９が回動自在に取付けられている。
【００２３】
パチンコ遊技装置１の基台２の一側部の上面には、断面コ字状の２本の平行なガイドレール４０、４０が前後方向に固定されていて、基台３１の下面の前記ローラ３７、３７がガイドレール４０、４０に嵌合されている。また、パチンコ遊技装置１のフレーム３の側板３ａには水平方向の支持腕４１が固定され、この支持腕４１に固定されたＬ字板４２とによって支持腕４１の先端にコ字状のガイドレール４３が構成されている。このガイドレール４３に前記ローラ３９が嵌合されている。
【００２４】
従って、揚送装置３０は下面のローラ３７、３７が基台２の上面のガイドレール４０、４０に案内され、上方のローラ３９がフレーム３の側板３ａから立設されたガイドレール４３に案内されて、図６に矢印で示すようにパチンコ遊技装置１の前面へ引出すことができるようにされている。
【００２５】
基台２のガイドレール４０、４０の前方部には前方のローラ３７、３７が嵌まるストッパ用の角穴４０ａ、４０ａが設けられていて、揚送装置３０を前方へ引き出すと、前方のローラ３７、３７が角穴４０ａ、４０ａに嵌まって停止する。また、ガイドレール４０、４０の後端にはストッパ４０ｂが立設されていて、揚送装置３０を後方へ押し込むと、後方のローラ３７、３７がストッパ４０ｂに当接して磨きベルトケース３４の前面板３４ａがパチンコ台４や台間玉貸機２０の前面部と面一の状態にされる。
【００２６】
送りベルトケース３３の下端には駆動ローラ４５が回動自在に取付けられ、上端には従動ローラ４６が回動自在に取付けられ、両ローラ４５、４６間に送りベルト４７が架け渡されている。送りベルトケース３３の下部背面には駆動モータ４８が取付けられていて、駆動ベルト（図示せず）によってモータ４８の回転が駆動ローラ４５に伝達される。なお、送りベルト４７は送りベルトケース３３に回動自在に取付けられたテンションローラ４９、４９に押圧されてテンションを与えられている。
【００２７】
磨きベルトケース３４には、磨きベルトを収納したカートリッジ５０が着脱自在に収容されている。
カートリッシ５０は図８に示すようにケース５１と蓋５２を備えている。
【００２８】
ケース５１及び蓋５２の内面中央には縦方向の突条５３、５４が突設されていて、弾性ガイド体５５の両側面の嵌合溝５５ａ、５５ｂにこの突条５３、５４が嵌合される。
弾性ガイド体５５の一側面には、２列の半円状の凹部５６を備えている。
【００２９】
ケース５１及び蓋５２の上下両端には内面側に円筒部５７ａ、５８ａ及び５７ｂ、５８ｂが設けてあり、下側の円筒部５７ａ、５７ｂ及び上側の円筒部５８ａ、５８ｂにプーリ５９及び６０が回動自在に取付けられ、両プーリ５９、６０間に布製の磨きベルト６１が架け渡されている。
【００３０】
磨きベルトケース３４の上下両端にはテンションローラ６２、６２が回動自在に取付けられていて、カートリッジ５０を磨きベルトケース３４に装着すると、上下のテンションローラ６２、６２がケース５１の切欠き５１ａ、５１ａから一部進入して磨きベルト６１を押圧して磨きベルト６１にテンションが与えられる。プーリ５９は駆動モータ６６で回転駆動されて磨きベルト６１が駆動される。
【００３１】
磨きベルトケース３４内にこのような構成のカートリッジ５０を装着した後、磨きベルトケース３４を閉じると、磨きベルト６１の一面と送りベルト４７の一面は密着状態にされる。
【００３２】
揚送装置３０の基台３１には、送りベルトケース３３の下端の開口３３ａに連なるパチンコ玉受入れ通路６３が傾斜して設けられている。パチンコ玉受入れ通路６３には、パチンコ玉が２列に並んで通る半球状の２列の凹部が設けられている。
【００３３】
下部タンク６内のパチンコ玉は下部シュート１９から基台２の開閉シャッタ７０を備えた玉受け部７１に自然落下し、開閉シャッタ７０をソレノイド７２で駆動して開くと、パチンコ玉は２列の凹部に沿って２列になってパチンコ玉受入れ通路６３を通って開口３３ａから送りベルトケース３３の下端に流入し、送りベルト４７と磨きベルト６１間に２列になって挟持されて、弾性ガイド体５５の２列の半球状の凹部５６、５６にパチンコ玉と磨きベルト６１が押し込まれた状態となって、上方へ揚送される。そして、送りベルト４７と磨きベルト６１の速度を異なる速度にすると、両者で挟持されたパチンコ玉は両者間で回転するため、汚れがより一層磨きベルト６１で除去される。
【００３４】
従って、使用によって汚れの付着量が多くなった場合、揚送装置３０を前面側へ引き出して、ベルトケース３２を開いてカートリッジ５０を交換することによって簡単にベルトを交換できる。
【００３５】
なお、送りベルト４７をモータ４８で常時回転駆動し、磨きベルト６１を停止させた状態で、両ベルト４７、６１間にパチンコ玉を挟持して上方へ移動させて、摩擦力によって磨きベルト６１をこの移動方向に緩慢に、例えば１日の開店時から開店時までで１０〜２０ｍｍずれるようにすることもできる。
【００３６】
このように僅かずつベルト６１の新しいところがずれていくのでベルト６１の汚れが全周に及んだ時にベルト６１を交換すればよいから、ベルトが長持ちする。
【００４４】
送りベルトケース３３の上端の背面側には後方に向かって下り勾配に傾斜した排出通路７３が突設され、その先端下方には、上部タンク５への流入シュート７４が設けられている。
【００４５】
従って、揚送装置３０で両ベルト４７、６１の上端まで揚送されたパチンコ玉は排出通路７３、流入シュート７４を通って上部タンク５へ流入する。
【００４６】
なお、揚送装置３０の駆動停止の所定時間前に開閉シャッタ７０を閉じてパチンコ玉の流入を阻止するようにすることもできる。即ち、タイマ回路（図示せず）を設けて駆動停止のために電源をＯＦＦにすると、まず開閉シャッタ７０が閉じるように駆動させ、タイマ回路で定められた所定時間（即ち、ベルト間に挟持されたパチンコ玉がすべて上端の排出通路７３から排出するのに要する時間）後に、揚送装置３０の駆動が停止されるようにする。
【００４７】
このようにすれば、ベルト交換時、あるいは故障点検時において、ベルト間に玉が挟持されていないので作業し易く、玉こぼれ等がない。
【００４８】
なお、パチンコ遊技装置１のフレーム３の横方向の両側板３ａ、３ｂの後部外面に連結部材８０、８１を設けることによって、隣合う２つのパチンコ遊技装置１、１を任意の角度に連結できる。
【００４９】
なお、以上の実施形態をパチンコ遊技装置を例にとって説明したが、本発明はスロットマシンその他、遊技媒体を使用する他の遊技装置にも適用できることは勿論である。
【００５０】
【発明の効果】
以上説明したように本発明の請求項１によれば揚送装置を必要に応じて前面側へ引き出して、短時間に、しかも専門の業者を呼ばなくても店員によって、簡単にベルト交換を１台ごとに行なうことができる。
【００５１】
また、請求項２では、
前記揚送装置が遊技媒体を挟持して上方へ移送するための対向した送りベルトと磨きベルトを備え、前記磨きベルトが交換可能なカートリッジ内に収納されているため、揚送装置を前面側へ引出して簡単に汚れたベルトの交換ができる。
【００５２】
また、請求項３では、
前記揚送装置の前記２本のベルトのうち一方のベルトが常時回転駆動され、他方のベルトが停止されていて、両ベルトによる遊技媒体の挟持移送によって該停止中のベルトが移送方向へ緩慢にずれるようにしたから、１日でベルトが僅かずつ新しいところがずれていくのでベルトの汚れが長持ちする。
【図面の簡単な説明】
【図１】  本発明の一実施形態を示す正面図
【図２】  同実施形態の平面図
【図３】  同実施形態の左側面図
【図４】  揚送装置の左側面図
【図５】  揚送装置の要部の正面図
【図６】  揚送装置の要部の左側面図
【図７】  揚送装置を示す平面図
【図８】  カートリッジの分解斜視図
【符号の説明】
１  パチンコ遊技装置
２  基台
３  フレーム
３ａ、３ｂ  側板
４  パチンコ台
５  上部タンク
６  下部タンク
７  上部シュート
１４  パチンコ玉計数機
１９  下部シュート
２０  台間玉貸機
３０  揚送装置
３３  送りベルトケース
３４  磨きベルトケース
４８  送りベルト
５０  カートリッジ
６１  磨きベルト
【図１】
0004206138.tif 000002
【図２】
0004206138.tif 000003
【図３】
0004206138.tif 000004
【図４】
0004206138.tif 000005
【図５】
0004206138.tif 000006
【図６】
0004206138.tif 000007
【図７】
0004206138.tif 000008
【図８】
0004206138.tif 000009